(57)【要約】【課題】ターボ過給機とターボ過給機の駆動に用いる排気エネルギを調整することによって過給圧を変化させるアクチュエータとを備え、ストイキ運転とリーン運転とを選択可能な内燃機関の制御装置に関し、加速要求に合わせてリーン運転からストイキ運転へ切り替えた後、リーン運転への再度の切り替えの条件を早期に整えられるようにする。【解決手段】リーン運転の実施中に目標トルクが増大した場合、内燃機関の運転モードをリーン運転からストイキ運転に切り替える。この運転モードの切り替えが過給状態において行われた場合、リーン空燃比のもとで実現可能なトルクの範囲内に目標トルクがあるかどうか判断する。そして、その範囲内に目標トルクがあると判断した場合、運転モードが切り替えられた時点での大きさ以上の大きさに過給圧を保持するようにアクチュエータを操作する。【選択図】図３
2016121644.tif 000002
【特許請求の範囲】
【請求項１】
ターボ過給機と前記ターボ過給機の駆動に用いる排気エネルギを調整することによって過給圧を変化させるアクチュエータとを備え、理論空燃比によるストイキ運転と前記理論空燃比よりも大きいリーン空燃比によるリーン運転とを選択可能な内燃機関の制御装置において、
前記リーン運転の実施中に目標トルクが増大した場合、前記内燃機関の運転モードを前記リーン運転から前記ストイキ運転に切り替える切替手段と、
過給圧が大気圧よりも高くなっている過給状態において前記切替手段により前記運転モードの切り替えが行われた場合、前記リーン空燃比のもとで実現可能なトルクの範囲内に前記目標トルクがあるかどうか判断する判断手段と、
前記判断手段が前記範囲内に前記目標トルクがあると判断した場合、前記運転モードの切り替えが行われてから再度リーン運転に切り替えられるまで、前記切替手段により前記運転モードが切り替えられた時点での大きさ以上の大きさに過給圧を保持するように前記アクチュエータを操作する操作手段と、
を備えることを特徴とする内燃機関の制御装置。
【請求項２】
前記操作手段は、前記判断手段が前記範囲内に前記目標トルクがあると判断した場合、前記アクチュエータの操作量を前記切替手段により前記運転モードが切り替えられた時点での値に維持するか、或いは、過給圧を上昇させる側に変化させることを特徴とする請求項１に記載の内燃機関の制御装置。
【請求項３】
前記操作手段は、前記判断手段が前記目標トルクは前記範囲を超えていると判断した場合、過給圧を低下させるように前記アクチュエータを操作することを特徴とする請求項１又は２に記載の内燃機関の制御装置。
【請求項４】
前記判断手段は、前記範囲の上限値をエンジン回転速度から算出し、前記目標トルクが前記上限値以下かどうか判断することを特徴とする請求項１乃至３の何れか１項に記載の内燃機関の制御装置。
【発明の詳細な説明】
【技術分野】
【０００１】
本発明は、内燃機関の制御装置に関し、詳しくは、ターボ過給機と、ターボ過給機の駆動に用いる排気エネルギを調整することによって過給圧を変化させるアクチュエータとを備え、理論空燃比によるストイキ運転と、理論空燃比よりも大きいリーン空燃比によるリーン運転とを選択可能な内燃機関の制御装置に関する。
【背景技術】
【０００２】
特開２０００−０５２８１７号公報に開示されているように、リーン運転が可能な内燃機関の制御方法として、アクセルペダル開度等から算出した目標トルクを所定の判定値と比較し、目標トルクが判定値以下の場合にはリーン運転を選択し、目標トルクが判定値よりも大きい場合にはストイキ運転を選択するという制御方法が知られている。また、特開平１１−０２２５１２号公報に開示されているように、リーン運転中に目標トルクと実トルクとの間に所定値以上の差ができたときには、内燃機関の運転モードをリーン運転からストイキ運転に切り替えるという制御方法も知られている。さらに、リーン運転中に運転者からの加速要求が検知された場合には、内燃機関の運転モードをリーン運転からストイキ運転に速やかに切り替えるという制御方法も公知である。
【先行技術文献】
【特許文献】
【０００３】
【特許文献１】特開２０００−０５２８１７号公報
【特許文献２】特開平１１−０２２５１２号公報
【特許文献３】特開２００７−２１８１４３号公報
【発明の概要】
【発明が解決しようとする課題】
【０００４】
ところで、ターボ過給機を備える内燃機関では、リーン運転が可能な運転域はターボ過給機による過給が行われる過給領域まで広がる。過給領域において内燃機関の運転モードがリーン運転からストイキ運転に切り替えられる場合、スロットルを閉じると同時に、ポンプ損失を低減するために過給圧を低下させることが行われる。過給圧は、ウエストゲートバルブや可変ノズル等、ターボ過給機の駆動に用いる排気エネルギを調整することができるアクチュエータの操作によって制御することができる。
【０００５】
しかし、過給圧を一旦低下させてしまうと、加速の終了後、目標トルクがリーン運転により実現可能な範囲に入ったとしても、直ぐには吸入空気量を増大させることができない。このため、ストイキ運転からリーン運転への切り替えに時間を要してしまい、リーン運転による燃費向上の機会を無駄にしてしまう。
【０００６】
本発明は、上述のような課題に鑑みてなされたもので、加速要求に合わせてリーン運転からストイキ運転へ切り替えた後、リーン運転への再度の切り替えの条件を早期に整えることができる内燃機関の制御装置を提供することを目的とする。
【課題を解決するための手段】
【０００７】
本発明は、ターボ過給機と、ターボ過給機の駆動に用いる排気エネルギを調整することによって過給圧を変化させるアクチュエータとを備え、ストイキ運転とリーン運転とを選択可能な内燃機関の制御装置に適用される。本発明に係る内燃機関の制御装置は、上記の目的を達成するため以下のように構成される。
【０００８】
本発明に係る内燃機関の制御装置は、リーン運転の実施中に目標トルクが増大した場合、内燃機関の運転モードをリーン運転からストイキ運転に切り替える切替手段を備える。また、本発明に係る内燃機関の制御装置は、過給圧が大気圧よりも高くなっている過給状態において切替手段によりリーン運転からストイキ運転への運転モードの切り替えが行われた場合、リーン空燃比のもとで実現可能なトルクの範囲内に目標トルクがあるかどうか判断する判断手段を備える。さらに、本発明に係る内燃機関の制御装置は、判断手段がリーン空燃比のもとで実現可能なトルクの範囲内に目標トルクがあると判断した場合、切替手段によりリーン運転からストイキ運転へ運転モードが切り替えられた時点での大きさ以上の大きさに過給圧を保持するようにアクチュエータを操作する操作手段を備える。
【０００９】
好ましくは、操作手段は、判断手段がリーン空燃比のもとで実現可能なトルクの範囲内に目標トルクがあると判断した場合、アクチュエータの操作量を切替手段によりリーン運転からストイキ運転へ運転モードが切り替えられた時点での値に維持するか、或いは、過給圧を上昇させる側に変化させるように構成される。また、好ましくは、操作手段は、判断手段が目標トルクはリーン空燃比のもとで実現可能なトルクの範囲を超えていると判断した場合、過給圧を低下させるようにアクチュエータを操作するように構成される。また、好ましくは、判断手段は、リーン空燃比のもとで実現可能なトルクの範囲の上限値をエンジン回転速度から算出し、目標トルクがその上限値以下かどうか判断するように構成される。
【発明の効果】
【００１０】
本発明に係る内燃機関の制御装置によれば、過給状態においてリーン運転からストイキ運転への切り替えが行われた場合、その時点での大きさ以上の大きさに過給圧が保持されるため、リーン運転への再度の切り替えの条件を早期に整えることができる。
【図面の簡単な説明】
【００１１】
【図１】本発明の実施の形態のエンジンシステムの構成を示す図である。
【図２】本発明の実施の形態の制御装置の構成を示すブロック図である。
【図３】本発明の実施の形態において目標過給圧の計算に用いる参照空燃比の選択ルールを示すフローチャートである。
【図４】本発明の実施の形態の制御装置に対する比較例の動作を示すタイムチャートである。
【図５】本発明の実施の形態の制御装置により実現される動作を示すタイムチャートである。
【発明を実施するための形態】
【００１２】
以下、図面を参照して本発明の実施の形態について説明する。ただし、以下に示す実施の形態において各要素の個数、数量、量、範囲等の数に言及した場合、特に明示した場合や原理的に明らかにその数に特定される場合を除いて、その言及した数にこの発明が限定されるものではない。また、以下に示す実施の形態において説明する構造やステップ等は、特に明示した場合や明らかに原理的にそれに特定される場合を除いて、この発明に必ずしも必須のものではない。
【００１３】
１．エンジンシステムの構成
図１は、本発明の実施の形態１のエンジンシステムの構成を示す図である。本実施の形態のエンジンシステムは、自動車に動力装置として搭載されるターボ過給機付き内燃機関
（以下、エンジンと称す）２を備える。このエンジン２は、ストイキ運転（すなわち、理論空燃比による運転）と、リーン運転（すなわち、理論空燃比よりも大きい（薄い）所定のリーン空燃比による運転）とを選択可能なリーンバーンエンジンである。リーン運転時の空燃比は、ＮＯｘが多く発生する空燃比域よりもさらにリーンな空燃比域、例えば、２４前後の空燃比域に設定される。
【００１４】
エンジン２は、ピストン１２が配置されたシリンダブロック４とシリンダヘッド３とを備える。エンジン２の気筒数および気筒配置は特に限定されない。シリンダヘッド３とピストン１２とで挟まれた空間が燃焼室５となる。エンジン２は火花点火式エンジンであって、シリンダヘッド３には燃焼室５の頂部に突き出るように点火装置の点火プラグ１８が取り付けられている。
【００１５】
燃焼室５には吸気ポート６と排気ポート８がそれぞれ開口している。燃焼室５と吸気ポート６との連通状態は、シリンダヘッド３に設けられた吸気バルブ１４によって制御される。燃焼室５と排気ポート８との連通状態は、シリンダヘッド３に設けられた排気バルブ１６によって制御される。吸気バルブ１４には、少なくともバルブタイミングを可変とする吸気可変動弁機構２４が設けられている。排気バルブ１６には、少なくともバルブタイミングを可変とする排気可変動弁機構２６が設けられている。バルブタイミングを可変とする機構には、クランクシャフトに対するカムシャフトの位相を変化させる公知の機構を用いることができる。
【００１６】
このエンジン２は、各気筒に２つずつ燃料噴射弁を備える。一つは、燃焼室５の中に燃料を直接噴射する筒内噴射弁２２であり、もう一つは、吸気ポート６に燃料を噴射するポート噴射弁２０である。
【００１７】
吸気ポート６には、サージタンク１９が一体化された吸気マニホールド１０が接続されている。サージタンク１９には、外部から空気を吸入する吸気通路３０が接続されている。吸気通路３０におけるサージタンク１９の近傍には、電子制御式のスロットル４０が設けられている。吸気通路３０の先端には、エアクリーナ３１が設けられている。
【００１８】
排気ポート８には、排気マニホールド１１が接続されている。排気マニホールド１１には、排気ガスを外部に排出する排気通路３２が接続されている。排気通路３２には、その上流側から順に、三元触媒６２、ＮＯｘ吸蔵還元型触媒６４、選択還元型触媒６６が設けられている。
【００１９】
エンジン２は、ターボ過給機２８を有している。ターボ過給機２８のコンプレッサ２８ａは、吸気通路３０におけるスロットル４０の上流に設けられている。吸気通路３０におけるコンプレッサ２８ａとスロットル４０との間には、コンプレッサ２８ａで圧縮された吸入空気を冷却するインタークーラ３６が設けられている。ターボ過給機２８のタービン２８ｂは、排気通路３２における三元触媒６２の上流に設けられている。タービン２８ｂの近傍には、タービン２８ｂの上流側と下流側とをバイパスするバイパス通路４４が設けられている。バイパス通路４４には、ウエストゲートバルブ４６が設置されている。ウエストゲートバルブ４６が開くと、排気ガスの一部は、タービン２８ｂを通らずにバイパス通路４４を通って流れる。ウエストゲートバルブ４６はダイアフラム式の負圧アクチュエータ４６ａにより駆動される。
【００２０】
本実施形態のシステムは、エンジン２の運転状態に関する情報を得るためのセンサを各所に備えている。吸気通路３０におけるエアクリーナ３１の直下流には、吸入空気量を計測するためのエアフローメータ３４が設置されている。吸気通路３０におけるインタークーラ３６の直下流には、過給圧を計測するための圧力センサ３８が設置されている。スロットル４０の近傍には、スロットル４０の開度を計測するためのスロットルポジションセンサ４２が設置されている。サージタンク１９には吸気マニホールド圧を計測するための圧力センサ５６が設置されている。本明細書では、スロットル４０の上流側の圧力を過給圧と呼び、スロットル４０の下流側の圧力を吸気マニホールド圧と呼ぶ。
【００２１】
排気通路３２における三元触媒６２の直上流には、排気ガスの燃焼前の空燃比に対してリニアに変化する信号を出力する空燃比センサ７０が設置されている。また、排気通路３２における三元触媒６２の直下流には、理論空燃比の混合気の燃焼により得られる排気ガスの酸素濃度を境にして、酸素過剰側と酸素不足側とでステップ的に変化する信号を出力する酸素センサ７２が設置されている。
【００２２】
また、本実施形態のシステムは、アクセルペダルの開度を計測するためのアクセルポジションセンサ５２、及び、エンジン２のクランク角度を計測するためのクランク角センサ５４を有している。
【００２３】
上述した各種のセンサ及びアクチュエータは、制御装置１００に電気的に接続されている。制御装置１００はＥＣＵ(Electronic Control Unit)である。制御装置１００は、エンジン２のシステム全体の制御を行うものであり、ＣＰＵ、ＲＯＭ、ＲＡＭを含むコンピュータを主体として構成されている。ＲＯＭには各種制御のルーチンが記憶されている。制御装置１００によってそれらルーチンが実行され、センサからの信号に基づいてアクチュエータが操作されることにより、エンジン２の運転が制御される。
【００２４】
２．制御装置の構成
図２は、実施の形態１の制御装置１００の構成を示すブロック図である。制御装置１００は、過渡限界トルク算出ユニット１０２、目標空燃比設定ユニット１０４、定常限界トルク算出ユニット１０６、過給圧ダウン判断ユニット１０８、目標空気量算出ユニット１１０、目標過給圧算出ユニット１１２、スロットル開度算出ユニット１１４、ウエストゲートバルブ開度算出ユニット１１６、及び、バルブタイミング算出ユニット１１８を含む。制御装置１００が含むこれらの演算ユニットは、制御装置１００のＲＯＭに記憶された制御プログラム或いはその一部に対応している。制御プログラムがＲＯＭから読みだされてＣＰＵで実行されることによって、これらの演算ユニットの機能が制御装置１００にて実現される。
【００２５】
過渡限界トルク算出ユニット１０２の機能について説明する。過渡限界トルク算出ユニット１０２が算出する過渡限界トルクは、リーン運転により現時点より一定時間後に実現可能なトルクの上限値である。より詳しくは、過渡限界トルクは、筒内の吸入空気量を最大速度で増加させるように空気量制御用アクチュエータを操作したならば、リーン空燃比のもとで現時点より一定時間後に実現されるであろうトルクである。ここで言う空気量制御用アクチュエータとは、具体的には、スロットル４０、ウエストゲートバルブ４６、吸気可変動弁機構２４、及び、排気可変動弁機構２６を指す。スロットル４０を全開にし、且つ、ウエストゲートバルブ４６を全閉にしたときに吸入空気量の増大速度は最大となり、現時点より一定時間後に実現される吸入空気量も最大になる。また、筒内の吸入空気量を最大速度で増加させる場合、吸気可変動弁機構２４と排気可変動弁機構２６は、吸気バルブ１４を通過する空気の流量が最大になるように吸気バルブ１４及び排気バルブ１６の各バルブタイミングを調整する。吸気バルブ１４を通過する空気の流量を最大にすることにより、充填効率が向上するとともに、タービン流量の増大によって過給圧も上昇しやすくなる。
【００２６】
空気量制御用アクチュエータの操作によって実現される最大吸入空気量は、現時点における吸入空気量及び過給圧と、現時点から最大吸入空気量の予測時点までの時間（これを先読み時間という）によって一義的に決まる。そして、リーン運転時の目標空燃比が固定であるならば、吸入空気量が決まればトルクも決まる。よって、現時点における吸入空気量及び過給圧と、先読み時間とが決まれば、現時点から一定時間（これは先読み時間に等しい）の後に実現可能な過渡限界トルクも一義的に決まる。過渡限界トルク算出ユニット１０２は、制御装置１００のＲＯＭに記憶されたマップを検索し、推定吸入空気量、推定過給圧、及び、先読み時間から過渡限界トルクを求める。なお、マップの検索に用いられる推定吸入空気量は、現在吸入空気量の推定値であって、吸気マニホールド圧や筒内圧などの吸入空気量に関連する状態量の計測値から算出される。マップの検索に用いられる推定過給圧は、関連する状態量の計測値から算出された現在過給圧の推定値である。ただし、推定過給圧に代えて、圧力センサによって計測された実測値を用いてもよい。
【００２７】
目標空燃比設定ユニット１０４の機能について説明する。目標空燃比設定ユニット１０４は、理論空燃比と所定のリーン空燃比の何れか一方を選択し、目標空燃比を選択した空燃比に設定する。目標空燃比の選択は、過渡限界トルク算出ユニット１０２で算出された過渡限界トルクと目標トルクとの比較にしたがって行われる。目標トルクは、制御装置１００のＲＯＭに記憶されたトルクマップを参照して、アクセルペダル開度とエンジン回転速度とから決定される。過渡限界トルクはリーン空燃比のもとで一定時間内に実現可能な最大トルクであるから、目標トルクが過渡限界トルク以下であれば、目標トルクの増大によって目標トルクと実トルクとの間に差が生じたとしても、長くとも一定時間待てばリーン空燃比のもとで目標トルクを実現することができる。しかし、目標トルクが過渡限界トルクよりも大きければ、一定時間待ってもリーン空燃比のもとでは目標トルクを実現することができない。目標空燃比設定ユニット１０４における目標空燃比の設定ルールは、目標トルクと過渡限界トルクとの間のこのような関係に基づいて定められている。すなわち、目標トルクが過渡限界トルク以下の場合、目標空燃比設定ユニット１０４は、目標空燃比をリーン空燃比に設定する。目標トルクが過渡限界トルクよりも大きい場合、目標空燃比設定ユニット１０４は、目標空燃比を理論空燃比に設定する。
【００２８】
定常限界トルク算出ユニット１０６の機能について説明する。定常限界トルク算出ユニット１０６が算出する定常限界トルクは、リーン運転により定常状態で実現可能なトルクの上限値である。より詳しくは、定常限界トルクは、筒内の吸入空気量が最大になるように空気量制御用アクチュエータを操作したならば、アクチュエータの操作に対する吸入空気量の応答遅れの後に最終的に実現されるリーン空燃比のもとでのトルクである。空気量制御用アクチュエータの操作によって最終的に実現される最大吸入空気量、すなわち、定常状態での最大吸入空気量は、エンジン回転速度によって一義的に決まる。よって、エンジン回転速度が決まれば、定常状態で実現可能な定常限界トルクも一義的に決まる。定常限界トルク算出ユニット１０６は、制御装置１００のＲＯＭに記憶されたマップを検索し、エンジン回転速度から定常限界トルクを求める。マップでは、定常限界トルクはエンジン回転速度の上昇に応じて大きくなるように設定されている。
【００２９】
過給圧ダウン判断ユニット１０８の機能について説明する。過給圧ダウン判断ユニット１０８は、リーン運転からストイキ運転へ切り替わった時に過給圧を低下させることを許可するかどうか判断する。目標トルクが同じ場合、ストイキ運転で必要な空気量はリーン運転で必要な空気量よりも少ない。このため、過給圧が大気圧よりも高くなっている過給状態においてリーン運転が行われている場合は、ストイキ運転に切り替えたときに過給圧を下げることができる。もちろん過給圧を維持したままストイキ運転を行うことができるが、ポンプ損失を低減して燃費を向上させるためには、ウエストゲートバルブ４６を開いて過給圧を低下させることが望ましい。
【００３０】
しかし、長期的な燃費の観点からは過給圧を低下させないほうがより好ましい場合がある。それは、ストイキ運転への切り替え後、リーン運転への復帰が可能な場合である。目標トルクが定常限界トルク算出ユニット１０６で算出された定常限界トルク以下の場合、過給圧が上昇すればそのうちにリーン空燃比のもとで目標トルクを実現できるようになる。ただし、ウエストゲートバルブ４６を開いて過給圧を一旦低下させてしまうと、過給圧が再び上昇してリーン運転に必要な空気量を得られるまでに時間を要してしまう。ストイキ運転で過給圧を低下させない場合、短期的にはポンプ損失を増大させることになるものの、それによりリーン運転への切り替え時期を早めることができれば、より大きな燃費向上効果を得ることができる。
【００３１】
過給圧ダウン判断ユニット１０８は、過給圧を低下させることを許可するかどうかを、目標トルク、定常限界トルク算出ユニット１０６で算出された定常限界トルク、及び、過渡限界トルク算出ユニット１０２で算出された過渡限界トルクの間の大小関係に基づいて判断する。具体的には、目標トルクが過渡限界トルクを超え、かつ、目標トルクが定常限界トルク以下の場合、過給圧を低下させることを不許可にし、それ以外では過給圧を低下させることを許可する。このような判断によれば、リーン運転への移行が可能な状況でストイキ運転が行われている間、過給圧を低下させることは不許可にされる。過給圧ダウン判断ユニット１０８は、過給圧を低下させることを許可しない場合、過給圧ダウン不許可フラグをオンにする。
【００３２】
目標空気量算出ユニット１１０の機能について説明する。目標空気量算出ユニット１１０は、制御装置１００のＲＯＭに記憶されたトルク−空気量変換マップを参照して、目標トルクから目標空気量を算出する。トルク−空気量変換マップでは、空燃比とエンジン回転速度とを参照パラメータとして、トルクとそれを実現するための空気量が関連付けられている。参照パラメータである空燃比には、目標空燃比設定ユニット１０４で設定された目標空燃比が入力される。目標空気量算出ユニット１１０で算出される目標空気量は、空燃比が目標空燃比に調整された場合に目標トルクを実現するために必要な空気量である。
【００３３】
目標過給圧算出ユニット１１２の機能について説明する。目標過給圧算出ユニット１１２は、目標トルクを目標空気量に変換するためのトルク−空気量変換マップと、目標空気量を目標過給圧に変換するための空気量−過給圧変換マップとを用いて、目標トルクから目標過給圧を算出する。トルク−空気量変換マップは、目標空気量算出ユニット１１０が用いるマップと同じものであって、空燃比とエンジン回転速度とを参照パラメータとして、トルクとそれを実現するための空気量が関連付けられている。空気量−過給圧変換マップは、空気量とそれを実現するための過給圧が関連付けられている。参照パラメータである空燃比（以下、参照空燃比）としては、リーン空燃比と理論空燃比の何れか一方が選択される。参照空燃比としてリーン空燃比が選択された場合、目標過給圧算出ユニット１１２で算出される目標過給圧は、空燃比がリーン空燃比に調整された場合に目標トルクを実現するために必要な過給圧となるため、参照空燃比として理論空燃比が選択された場合の目標過給圧よりも大きくなる。
【００３４】
図３は、目標過給圧算出ユニット１１２においてトルク−空気量変換マップの検索に用いる参照空燃比の選択ルールを示すフローチャートである。目標過給圧算出ユニット１１２は、制御周期ごとにこのフローチャートに示す手順に従って参照空燃比の選択を行う。まず、ステップＳ２では、今回制御周期における目標空燃比が理論空燃比（ストイキ）かどうかの判定が行われる。今回の目標空燃比がリーン空燃比の場合、ステップＳ１４の処理が選択される。ステップＳ１４では、参照空燃比をリーン空燃比のまま維持することが選択される。
【００３５】
今回の目標空燃比が理論空燃比の場合、ステップＳ４の判定が行われる。ステップＳ４では、前回制御周期における目標空燃比がリーン空燃比かどうかの判定が行われる。前回の目標空燃比がリーン空燃比である場合、つまり、今回、リーン運転からストイキ運転に切り替えられた場合は、ステップＳ６の判定が行われる。前回の目標空燃比がリーン空燃比でない場合、つまり、これまでストイキ運転が行われていた場合は、ステップＳ８の判定が行われる。
【００３６】
ステップＳ６では、過給圧ダウン判断ユニット１０８の判断を参照して、目標トルクが定常限界トルク以下かどうか判定される。過給圧ダウン不許可フラグがオンであれば、目標トルクは定常限界トルク以下であり、リーン空燃比のもとで実現可能なトルクの範囲内に目標トルクがある。この場合、ステップＳ１０の処理が選択される。ステップＳ１０では、参照空燃比をリーン空燃比に固定することが開始される。この処理の選択により、リーン運転からストイキ運転への切り替えに合わせて目標過給圧を低下させることは防がれる。
【００３７】
一方、過給圧ダウン不許可フラグがオフであれば、目標トルクは定常限界トルクよりも大きく、何時まで経ってもリーン空燃比のもとでは目標トルクを実現することはできない。この場合、ステップＳ１２の処理が選択される。ステップＳ１２では、参照空燃比を理論空燃比に変更することが選択される。この選択により、リーン運転からストイキ運転への切り替えに合わせて目標過給圧は低下させられ、ポンプ損失の増大によって燃費が悪化することは防がれる。
【００３８】
ステップＳ８では、過給圧ダウン判断ユニット１０８の判断を参照して、目標トルクが定常限界トルク以下かどうか判定される。目標トルクが定常限界トルク以下の場合、つまり、過給圧ダウン不許可フラグがオンの場合、ステップＳ１４の処理が選択される。ステップＳ１４では、参照空燃比をリーン空燃比に維持することが行われる。この処理の選択により、目標過給圧を低下させることなくストイキ運転が継続される。
【００３９】
一方、定常限界トルクよりも目標トルクが大きい場合、つまり、過給圧ダウン不許可フラグがオフの場合、ステップＳ１２の処理が選択される。ステップＳ１２では、参照空燃比を理論空燃比に変更することが選択される。この処理の選択により、ストイキ運転の途中で目標過給圧は本来の値まで低下させられ、ポンプ損失の増大による燃費の悪化が続くことは防がれる。
【００４０】
再び図２に戻り、続いて、スロットル開度算出ユニット１１４の機能について説明する。スロットル開度算出ユニット１１４は、目標空気量算出ユニット１１０で算出された目標空気量からスロットル開度を算出する。詳しくは、まず、ＲＯＭに記憶されたマップを参照して、目標空気量から目標吸気マニホールド圧を算出することが行われる。マップでは、エンジン回転速度を参照パラメータとして、空気量とそれを実現するための吸気マニホールド圧とが関連付けられている。次に、スロットル４０の動作と吸気マニホールド圧との関係をモデル化した物理モデルを用いて、目標吸気マニホールド圧を実現するためのスロットル開度を算出することが行われる。スロットル開度算出ユニット１１４は、算出したスロットル開度をスロットル４０に対して指示値（スロットル指示値）として出力する。
【００４１】
ウエストゲートバルブ開度算出ユニット１１６の機能について説明する。ウエストゲートバルブ開度算出ユニット１１６は、目標過給圧算出ユニット１１２で算出された目標過給圧からウエストゲートバルブ開度を算出する。ウエストゲートバルブ開度と目標過給圧は、ＲＯＭに記憶されたマップにおいて関連付けられている。目標過給圧が大気圧以下の場合、ウエストゲートバルブ開度は全開に固定され、目標過給圧が大気圧よりも大きくなると、目標過給圧の増大に対応させてウエストゲートバルブ４６は閉じられていく。ただし、過給圧を早く上昇させる要求がある場合、ウエストゲートバルブ開度は全閉にされる。ウエストゲートバルブ開度算出ユニット１１６は、ウエストゲートバルブ開度の指標としてダイアフラム式負圧アクチュエータ４６ａのダイアフラム負圧を決定し、これをダイアフラム式負圧アクチュエータ４６ａに対して指示値（ＷＧＶ指示値）として出力する。
【００４２】
最後に、バルブタイミング算出ユニット１１８の機能について説明する。バルブタイミング算出ユニット１１８は、ＲＯＭに記憶されたマップを参照して、目標空気量算出ユニット１１０で算出された目標空気量から吸気バルブ１４及び排気バルブ１６の各バルブタイミングを算出する。マップでは、排気ガス性能、燃費性能、燃焼の安定性などに関する各種要求を満たすことができる各バルブタイミングの適合値がエンジン回転速度を参照パラメータとして空気量に関連付けられている。ただし、過給圧ダウン判断ユニット１０８から提示される過給圧ダウン不許可フラグがオンの場合、バルブタイミング算出ユニット１１８は、スカベンジ量を増大させることができるバルブタイミングを算出する。スカベンジ量は、吸気ポート６から排気ポート８へ吹き抜けるガスの量（１サイクル当たりの量、或いは、単位時間あたりの流量）であり、吸気バルブ１４と排気バルブ１６との間のバルブオーバラップ期間に依存する。スカベンジ量を増大させることにより、タービン流量を増大させて過給圧を上昇させやすくすることができる。バルブタイミング算出ユニット１１８は、算出したバルブタイミングを吸気可変動弁機構２４及び排気可変動弁機構２６に対して指示値（ＶＶＴ指示値）として出力する。
【００４３】
３．制御装置により実現される動作
次に、制御装置１００により実現される動作について、その比較例とともにタイムチャートを用いて説明する。比較例では、リーン運転からストイキ運転への切り替えが行なわれた場合、目標空気量を低下させると同時に過給圧も低下させる方法が採られている。
【００４４】
３−１．比較例の動作
図４は、制御装置１００に対する比較例の動作を示すタイムチャートである。図４に示すタイムチャートには、リーン運転による加速走行から定常走行に移行した場合の、アクセルペダル開度、定常限界トルク、過渡限界トルク、目標トルク、空燃比（目標空燃比）、目標空気量、ウエストゲートバルブ４６のダイアフラム負圧、スロットル開度、過給圧、及び、目標吸気マニホールド圧の各時間変化が示されている。
【００４５】
タイムチャートに示すように、加速時には、アクセルペダル開度に合わせて目標トルクが単調に増大していき、目標トルクに合わせて目標吸気マニホールド圧も単調に増大していく。そして、目標吸気マニホールド圧に合わせてスロットル開度が大きくされていく。目標吸気マニホールド圧が大気圧に達するまでは、ウエストゲートバルブ４６の開度を決定するダイアフラム負圧は最小値に固定される。
【００４６】
やがて、目標吸気マニホールド圧が大気圧に達し、エンジン２の運転域が過給域に入ると（時刻t1）、ウエストゲートバルブ４６を閉じるようにダイアフラム負圧が大きくされる。これにより過給圧は増大していくが、リーン運転で得られる排気エネルギは大きくない、このため、過給圧の上昇速度は上がらず、過給圧に基づいて算出される過渡限界トルクの増大速度も低く抑えられる。目標トルクの増大速度が過渡限界トルクの増大速度よりも大きい場合、やがて、目標トルクは過渡限界トルクよりも大きくなる。
【００４７】
目標トルクが過渡限界トルクよりも大きくなったとき（時刻t2）、エンジン２の運転モードはリーン運転からストイキ運転に切り替えられる。このとき、目標空燃比がリーン空燃比から理論空燃比へ切り替えられると同時に、ウエストゲートバルブ４６が開かれて過給圧は大気圧まで低下させられる。さらに、スロットル４０の開度も一旦小さくされる。これらの操作によって吸入空気量を一旦急減させた後、目標吸気マニホールド圧に合わせてスロットル４０の開度を増大させ、それにより吸入空気量を増大させていくことが行われる。
【００４８】
タイムチャートでは、この後、運転者の加速の意思が無くなりアクセルペダル開度が一定にされている。アクセルペダル開度が一定とされることで目標トルクも一定に維持される。このとき、定常限界トルクは、加速によってエンジン回転速度が上昇したことにより、リーン運転時における値よりも増大している。このことは、過給圧が再び上昇して過渡限界トルクが目標トルクよりも大きくなれば、リーン運転への復帰が可能であることを意味している。
【００４９】
ところが、比較例では、ストイキ運転への切り替え後、目標トルクが一定に維持される結果、一旦大気圧まで低下させた過給圧が再び上昇することはない。このため、過渡限界トルクが目標トルクよりも大きくなることはなく、何時までたってもリーン運転へ復帰することはできない。つまり、比較例の方法では、リーン運転による燃費向上の機会を無駄にしてしまう。
【００５０】
３−２．制御装置により実現される動作
図５は、制御装置１００により実現される動作を示すタイムチャートである。図５に示すタイムチャートには、リーン運転による加速走行から定常走行に移行した場合の、アクセルペダル開度、定常限界トルク、過渡限界トルク、目標トルク、空燃比（目標空燃比）、目標空気量、過給圧ダウン不許可フラグ、ウエストゲートバルブ４６のダイアフラム負圧、スカベンジ量、スロットル開度、過給圧、及び、目標吸気マニホールド圧の各時間変化が示されている。なお、タイムチャートにおいて実線で描かれている動作は、制御装置１００により実現される動作であり、点線で描かれている動作は、前述の比較例の動作である。
【００５１】
タイムチャートに示すように、目標トルクが過渡限界トルクを超える時刻t2までの動作は、比較例の動作と同じである。比較例の動作との違いは、目標トルクが過渡限界トルクを超えた後の動作である。制御装置１００によれば、目標トルクが過渡限界トルクを超えたとき、目標空燃比はリーン空燃比から理論空燃比へ切り替えられる。同時に、スロットル４０の開度は一旦小さくされるが、過給圧ダウン不許可フラグがオンにされることで、ウエストゲートバルブ４６のダイアフラム負圧は維持される。さらに、同時に過給圧ダウン不許可フラグがオンにされることで、スカベンジ量を増大させるように吸気バルブ１４及び排気バルブ１６の各バルブタイミングが変更される。
【００５２】
ダイアフラム負圧を維持することによって、少なくとも目標空燃比がリーン空燃比に切り替えられた時点での大きさ以上の大きさに過給圧を保持することが可能となる。その上でスカベンジ量を増大させることによって、タービン仕事を増大させて過給圧をさらに上昇させることができる。過給圧を上昇させることができれば、過給圧に基づいて算出される過渡限界トルクもそれに応じて上昇することになり、やがて、停滞している目標トルクを上回るようになる（時刻t3）。これにより、過給圧ダウン不許可フラグは再びオンからオフに切り替えられる。なお、過給圧ダウン不許可フラグがオンにされている間、スロットル開度は比較例のそれよりも小さくされているが、これは過給圧が大気圧よりも高い値に保持されていることによる。スロットル開度を絞ることは短期的には燃費の向上に反するものの、次に述べるようにリーン運転への切り替えが早まることから、長期的には燃費を向上させることができる。
【００５３】
過渡限界トルクが目標トルク以上になったとき、制御装置１００は、目標空燃比を再び理論空燃比からリーン空燃比へ切り替える。同時に、ウエストゲートバルブ４６のダイアフラム負圧は維持しながら、スロットル４０の開度を全開或いは全開に近い開度まで増大させる。吸気バルブ１４及び排気バルブ１６の各バルブタイミングは、目標空気量に合った適合値へ変更される。これにより、エンジン２の運転モードはストイキ運転からリーン運転に切り替わり、燃費の向上が期待できるようになる。
【００５４】
４．その他
上述の実施の形態においては、過渡限界トルク算出ユニット１０２及び目標空燃比設定ユニット１０４が有する機能が本発明に係る「切替手段」の機能に相当する。また、定常限界トルク算出ユニット１０６及び過給圧ダウン判断ユニット１０８が有する機能が本発明に係る「判断手段」の機能に相当する。そして、目標過給圧算出ユニット１１２及びウエストゲートバルブ開度算出ユニット１１６が有する機能が本発明に係る「操作手段」の機能に相当する。
【００５５】
上述の実施の形態では、過給圧ダウン不許可フラグがオンの間、ダイアフラム負圧を一定値に維持しているが、ウエストゲートバルブの開度を小さくして過給圧を上昇させるようにダイアフラム負圧を変化させてもよい。なお、上述の実施の形態では、ターボ過給機の駆動に用いる排気エネルギを調整することによって過給圧を変化させるアクチュエータとして、ウエストゲートバルブが設けられているが、代わりに可変ノズルを用いることもできる。
【符号の説明】
【００５６】
２  エンジン
５  燃焼室
１４  吸気バルブ
１６  排気バルブ
２０  ポート噴射弁
２２  筒内噴射弁
２４  吸気可変動弁機構
２６  排気可変動弁機構
２８  ターボ過給機
２８ａ  コンプレッサ
２８ｂ  タービン
３０  吸気通路
３２  排気通路
４０  スロットル
４６  ウエストゲートバルブ
４６ａ  ダイアフラム式負圧アクチュエータ
１００  制御装置
１０２  過渡限界トルク算出ユニット
１０４  目標空燃比設定ユニット
１０６  定常限界トルク算出ユニット
１０８  過給圧ダウン判断ユニット
１１０  目標空気量算出ユニット
１１２  目標過給圧算出ユニット
１１４  スロットル開度算出ユニット
１１６  ウエストゲートバルブ開度算出ユニット
１１８  バルブタイミング算出ユニット
【図１】
2016121644.tif 000003
【図２】
2016121644.tif 000004
【図３】
2016121644.tif 000005
【図４】
2016121644.tif 000006
【図５】
2016121644.tif 000007